(57)【要約】【課題】遊技機島に固定される遊技機の固定強度の向上、遊技機島で固定される木製部分の耐用回数の向上を図り、遊技機島のメンテナンスの良好化を図る。【解決手段】本発明に係る遊技機島は、木製の遊技機取付部と、遊技機取付用金具と、木ネジもしくは釘からなる固定具と、を備え、遊技機取付用金具は、複数の固定穴を有するとともに、遊技機取付部の上に設置され、固定具は、固定穴に固定されたとき、固定穴内に位置する係止部分の大きさが、固定穴の大きさよりも大きく、遊技機取付用金具の上に設置された遊技機側構成に対して、固定具が遊技機側構成、固定穴、遊技機取付部の順に貫通し、固定穴周辺に変形部を形成して、遊技機取付部に対して遊技機側構成が固定されていることを特徴とする。【選択図】図８
2018187175.tif 000002
【特許請求の範囲】
【請求項１】
木製の遊技機取付部と、遊技機取付用金具と、木ネジもしくは釘からなる固定具と、を備え、
遊技機取付用金具は、複数の固定穴を有するとともに、遊技機取付部の上に設置され、
固定具は、固定穴に固定されたとき、固定穴内に位置する部分の大きさが、固定穴の大きさよりも大きく、
遊技機取付用金具の上に設置された遊技機側構成に対して、固定具が遊技機側構成、固定穴、遊技機取付部の順に貫通し、固定穴周辺に変形部を形成して、遊技機取付部に対して遊技機側構成が固定されていることを特徴とする
遊技機島。
【請求項２】
遊技機取付用金具は、複数の固定穴が形成された固定部と、固定部から屈曲した折り曲げ部を有することを特徴とする
請求項１に記載の遊技機島。
【請求項３】
遊技機取付用金具は、遊技機取付部に遊技機取付用金具を設置するための設置穴を有することを特徴とする
請求項１または請求項２に記載の遊技機島。
【請求項４】
固定具の固定穴に位置する係止部分の大きさは、固定穴の径の１３０％〜２００％の大きさであることを特徴とする
請求項１から請求項３の何れか１項に記載の遊技機島。
【請求項５】
１の遊技機取付部に複数の遊技機取付用金具が設けられていることを特徴とする
請求項１から請求項４の何れか１項に記載の遊技機島。
【請求項６】
複数の固定穴は、固定穴の中心に固定具の係止部分の大きさを直径とする仮想円を想定した場合、仮想円が重ならないように配置されていることを特徴とする
請求項１から請求項５の何れか１項に記載の遊技機島。
【請求項７】
木製の遊技機取付部に対して遊技機側構成を固定することで、遊技機を取り付ける遊技機の取付方法であって、
木製の遊技機取付部の上に複数の固定穴を有する遊技機取付用金具を設け、
遊技機取付用金具の上に遊技機側構成を設け、固定具を遊技機側構成、固定穴、遊技機取付部の順に貫通させ、
固定具は、固定穴に固定されたとき、固定穴内に位置する係止部分の大きさが、固定穴の大きさよりも大きく、固定穴周辺に変形部を形成して、遊技機取付部に遊技機側構成を固定することを特徴とする
遊技機の取付方法。
【請求項８】
遊技機取付用金具と、木ネジもしくは釘からなる固定具と、を備え、木製の遊技機取付部に遊技機側構成を固定するための遊技機取付具であって、
遊技機取付用金具は、複数の固定穴を有し、
固定具は、固定穴に固定されたとき、固定穴内に位置する係止部分の大きさが、固定穴の大きさよりも大きく、
遊技機取付用金具の上に設置された遊技機側構成に対して、固定具が遊技機側構成、固定穴、遊技機取付部の順に貫通し、固定穴周辺に変形部を形成することを特徴とする
遊技機取付具。
【発明の詳細な説明】
【技術分野】
【０００１】
本発明は、パチンコ店、スロット店等、遊技機店内において遊技機を設置するための遊技機島、遊技機の取付方法、及び遊技機取付具に関する。
【背景技術】
【０００２】
遊技機として、遊技球を発射装置によって遊技領域に発射して遊技を楽しむパチンコ遊技機が知られている。パチンコ遊技機では、遊技領域内に設けられる入賞口に遊技球を入賞させることで所定個の遊技球が払い出される。また、遊技機には、遊技媒体を挿入し、スタートレバーなどを操作することで、可変表示領域の識別表示を変化させるスロット機が知られている。スロット機では、可変表示領域の識別表示が所定のパターンとなった場合、遊技媒体が払い出される。
【０００３】
このようなパチンコ遊技機、スロット機は、遊技店内において、所謂、遊技機島と呼ばれる構造体に並べて設置されることが通常である。特許文献１には、遊技機の底部が載置される膳板部と、遊技機の天井部が固定される鴨居部をそれぞれ上下方向に移動可能とした遊技機島が開示されている。特許文献１の遊技機島によれば、膳板部、鴨居部を上下方向に移動させることで、設置された遊技機の位置を上下方向に調節可能とし、種類の異なる遊技機に対応することが可能となる。
【先行技術文献】
【特許文献】
【０００４】
【特許文献１】特開２０１３−３４７４４号公報
【発明の概要】
【発明が解決しようとする課題】
【０００５】
ところで、パチンコ遊技機、スロット遊技機などの各種遊技機を設置する遊技店では、日常的に新機種の登場などによる遊技機の入れ替えが行われている。遊技機は、遊技機島の木製部分に、木ネジ、あるいは、釘を使用して、遊技機外枠あるいは遊技機本体が固定される。遊技機の入れ替えは、固定に使用された木ネジ、あるいは、釘を取り外して遊技機外枠あるいは遊技機を取り外し、新たな遊技機外枠あるいは遊技機が固定される。
【０００６】
そのため、遊技機島の木製部分には、遊技機の入れ替え毎に、木ネジによるネジ穴、あるいは、釘による釘穴が形成される。図１２には、遊技機島の木製部分である上部取付板１１に形成されたネジ穴形成領域Ａを示す写真である。遊技機外枠あるいは遊技機本体は、上部取付板１１における所定領域が使用されるため、複数回の遊技機の入れ替えにより、写真に示されるような複数のネジ穴を有するネジ穴形成領域Ａが形成される。一度、形成されたネジ穴に新たな木ネジを固定することは、取付強度の点において好ましいとはいえず、また、複数のネジ穴が形成された場合、写真のネジ穴形成領域Ａの中央に示されるように木の繊維方向に位置するネジ穴間で欠損領域が生じ、このような欠損領域は新たな木ネジによる固定には好適とはいえない。
【０００７】
従来、ネジ穴（あるいは釘穴）が多数形成された上部取付板１１、あるいは、ネジ穴間（あるいは釘穴間）で形成された欠損領域が大きくなった上部取付板１１は、交換する必要があった。上部取付板１１の交換は、店舗にとって多額の支出を伴うと共に、工期の間は遊技機島が使用できないことになる。このようなネジ穴（あるいは釘穴）をパテで埋めることも提案されている。しかしながら、ネジ穴（あるいは釘穴）を埋めたパテを十分に乾燥させて所定の強度を持たせるには、十分な時間が必要となり、パテを乾燥させる間は、同様に遊技機島を使用することができない。
【０００８】
本発明は、このような遊技機島の状況を鑑みたものであって、遊技機島において、遊技機外枠あるいは遊技機本体を固定するための木製部分の耐用回数（遊技機の入れ替え回数）の向上、固定強度の向上を図るとともに、遊技機島のメンテナンスの良好化を図ることを目的とする。
【課題を解決するための手段】
【０００９】
そのため、本発明に係る遊技機島は以下の構成を備えることを特徴としている。
木製の遊技機取付部と、遊技機取付用金具と、木ネジもしくは釘からなる固定具と、を備え、
遊技機取付用金具は、複数の固定穴を有するとともに、遊技機取付部の上に設置され、
固定具は、固定穴に固定されたとき、固定穴内に位置する係止部分の大きさが、固定穴の大きさよりも大きく、
遊技機取付用金具の上に設置された遊技機側構成に対して、固定具が遊技機側構成、固定穴、遊技機取付部の順に貫通し、固定穴周辺に変形部を形成して、遊技機取付部に対して遊技機側構成が固定されていることを特徴とする。
【００１０】
さらに本発明に係る遊技機島において、
遊技機取付用金具は、複数の固定穴が形成された固定部と、固定部から屈曲した折り曲げ部を有することを特徴とする。
【００１１】
さらに本発明に係る遊技機島において、
遊技機取付用金具は、遊技機取付部に遊技機取付用金具を設置するための設置穴を有することを特徴とする。
【００１２】
さらに本発明に係る遊技機島において、
固定具の固定穴に位置する係止部分の大きさは、固定穴の径の１３０％〜２００％の大きさであることを特徴とする。
【００１３】
さらに本発明に係る遊技機島は、
１の遊技機取付部に複数の遊技機取付用金具が設けられていることを特徴とする。
【００１４】
さらに本発明に係る遊技機島において、
複数の固定穴は、固定穴の中心に固定具の係止部分の大きさを直径とする仮想円を想定した場合、仮想円が重ならないように配置されていることを特徴とする
【００１５】
また本発明に係る遊技機の取付方法は、
木製の遊技機取付部に対して遊技機側構成を固定することで、遊技機を取り付ける遊技機の取付方法であって、
木製の遊技機取付部の上に複数の固定穴を有する遊技機取付用金具を設け、
遊技機取付用金具の上に遊技機側構成を設け、固定具を遊技機側構成、固定穴、遊技機取付部の順に貫通させ、
固定具は、固定穴に固定されたとき、固定穴内に位置する係止部分の大きさが、固定穴の大きさよりも大きく、固定穴周辺に変形部を形成して、遊技機取付部に遊技機側構成を固定することを特徴とする。
【００１６】
また本発明に係る遊技機取付具は、
遊技機取付用金具と、木ネジもしくは釘からなる固定具と、を備え、木製の遊技機取付部に遊技機側構成を固定するための遊技機取付用具であって、
遊技機取付用金具は、複数の固定穴を有し、
固定具は、固定穴に固定されたとき、固定穴内に位置する係止部分の大きさが、固定穴の大きさよりも大きく、
遊技機取付用金具の上に設置された遊技機側構成に対して、固定具が遊技機側構成、固定穴、遊技機取付部の順に貫通し、固定穴周辺に変形部を形成することを特徴とする。
【発明の効果】
【００１７】
本発明によれば、固定穴が形成された取付用金具を使用することで、遊技機島の設置空間内に固定される遊技機側構成の固定強度向上を図ることが可能となる。また、固定具によるネジ穴等による欠損を抑制し、木製の遊技機取付部の使用回数を増加させ、遊技機島のメンテナンスの良好化を図ることも可能となる。
【図面の簡単な説明】
【００１８】
【図１】本実施形態の遊技機島を示す正面斜視図（取付用金具設置前）
【図２】本実施形態の取付用金具を示す三面図
【図３】本実施形態の遊技機島を示す正面斜視図（取付用金具設置後）
【図４】本実施形態の遊技機島を示す正面斜視図（遊技機外枠設置前）
【図５】本実施形態の遊技機島を示す正面斜視図及び背面斜視図（遊技機外枠設置後）
【図６】取付用金具設置部分周辺を示す拡大図
【図７】取付用金具設置部分周辺を示す断面図
【図８】木ネジ固定前と木ネジ固定後の取付用金具設置部分周辺を示す断面図
【図９】固定穴の形状、配置パターンの各種バリエーションを示す図
【図１０】他の実施形態の遊技機島を示す正面斜視図（取付用金具設置前）
【図１１】他の実施形態の取付用金具を示す三面図
【図１２】従来の遊技機島における上部取付板周辺の状況を示す写真
【発明を実施するための形態】
【００１９】
図１は、本実施形態の遊技機島１を示す正面斜視図（取付用金具２ａ、２ｂ設置前）である。本実施形態の遊技機島は、上部取付板１１、下部取付板１２、右側方板１３Ｒ、左側方板１３Ｌを有して構成されている。なお、上部取付板１１、下部取付板１２は、本発明における「木製の遊技機取付部」に相当している。これら各板は木製の部材であって、４枚の板の内部に遊技機が設置されるための設置空間を形成している。図１には、遊技機島１における１の設置空間部分を示すが、実際には、隣接した複数の設置空間が形成されることになる。このような設置空間に遊技機を設置することで、遊技機店舗内に複数の遊技機を隣接して配置することが可能となっている。
【００２０】
また、上部取付板１１の上方には、上部前面板１４が設けられ、下部取付板１２の下方には下部前面板１５が設けられている。このような上部前面板１４、下部前面板１５は、遊技機島１内が遊技者から見えないようにする目隠し板として機能している。また、上部前面板１４、下部前面板１５には、遊技機の補助具であるランプや表示装置等を配置することも可能である。
【００２１】
従来、このような遊技機島１において、木製の上部取付板１１、下部取付板１２に、遊技機側の構成である遊技機外枠、あるいは、遊技機本体を、木ネジあるいは釘などの固定具を使用して直接固定することが一般的であった。しかしながら、図１２で説明したように、遊技機の入れ替え回数が多数回となるに伴い、上部取付板１１（あるいは下部取付板１２）には、ネジ穴、そして、ネジ穴間の欠損領域を有するネジ穴形成領域Ａが形成され、遊技機の固定強度が低下する、あるいは、上部取付板１１（あるいは下部取付板１２）を早期に交換しなければならないという状況が生じていた。
【００２２】
本実施形態は、木製の上部取付板１１、下部取付板１２に、遊技機側の構成を直接固定するのではなく、図１に示される取付用金具２ａ、２ｂ（本発明における「遊技機取付用金具」に相当）を介在させることで、遊技機の固定強度向上、並びに、上部取付板１１、下部取付板１２の利用効率（回数）の向上、そして、遊技機島１のメンテナンスの良好化を図ることとしている。
【００２３】
本実施形態では、取付用金具２ａを上部取付板１１に設置し、取付用金具２ｂを下部取付板１２に設置している。また、取付用金具２ａ、２ｂの設置には、ねじ山が平らな木ネジである平木ネジ３１を使用することで、ねじ山部分が突出することを抑制している。なお、取付用金具２ａ、２ｂの設置には、このような平木ネジ３１を使用する形態に限られるものではない。平木ネジ３１に代え、釘などを使用して上部取付板１１、下部取付板１２に固定する。あるいは、取付用金具２ａ、２ｂの形状をコの字型として、上部取付板１１、下部取付板１２を挟んで固定する形態としてもよい。また、取付用金具２ａ、２ｂは、最終的には、上部取付板１１（あるいは下部取付板１２）と遊技機外枠４（本発明における「遊技機側構成」に相当）の間に挟まれて固定されるため、上部取付板１１（あるいは下部取付板１２）には固定せずに設置する形態をとってもよい。
【００２４】
図２は、本実施形態の取付用金具２を示す三面図である。図１では、上部取付板１１、下部取付板１２に使用する取付用金具２ａ、２ｂの符号を変えているが、どちらも同じ部品であるため、ここでは、符号中のアルファベットａ、ｂを省略して説明する。図２（Ａ）は、取付用金具２の上面図であり、図２（Ｂ）は、取付用金具２の下側面図であり、図２（Ｃ）は、取付用金具２の右面図である。
【００２５】
取付用金具２は、厚さ１ｍｍのステンレス製鉄板を使用して形成されており、固定部２１と折り曲げ部２２を有して構成されている。固定部２１は、長さＬ（５００ｍｍ）、幅Ｗ（７０ｍ）の大きさであって、固定穴形成領域２１ａと、その上下に位置する固定穴非形成領域２１ｂを有して形成されている。なお、本実施形態では、取付用金具２にステンレス製鉄板を使用しているが、取付用金具２は金属製であればよく、例えば、アルミ製鉄板、鉄製鉄板等、各種の金属材料を使用することが可能である。また、取付用金具２の厚さもこの実施形態に限定されるものでは無く、取付用金具２の強度、後で説明する木ネジによる固定のし易さを考慮し、０．５ｍｍ〜２．５ｍｍの範囲とすることが好ましい。
【００２６】
本実施形態では、固定部２１の周囲に固定穴非形成領域２１ｂを形成することで、取付用金具２の強度向上を図るとともに、固定穴２３が固定部２１の周囲に位置することで発生する鋭利な部分を抑制し、取付作業時の安全向上が図られている。なお、本実施形態では、固定穴非形成領域２１ｂを固定部２１の上下のみに設けた構成としているが、固定部２１左右にも設けることとしてもよい。
【００２７】
また、固定穴形成領域２１ａには、取付用金具２を上部取付板１１（あるいは下部取付板１２）に設置するための設置穴２４が２箇所設けられている。この設置穴２４に平木ネジ３１を貫通させることで、上部取付板１１（あるいは下部取付板１２）に取付用金具２が設置（固定）される。
【００２８】
固定穴形成領域２１ａには、複数の固定穴２３が形成されている。図２の右上には、固定穴形成領域２１ａの一部拡大図が示されている。この一部拡大図に示されるように、本実施形態の固定穴２３は、円形であって、直径φ（２ｍｍ）、隣り合う固定穴２３のピッチ間隔Ｐ（４ｍｍ）となっている。また、長さＬ方向に並ぶ固定穴２３の列が、幅Ｗ方向に並ぶ固定穴２３の列と互い違いとなるように配置されている（所謂、千鳥配置）。このように、固定穴２３を密に配置することで、木ネジを固定穴２３に容易に挿通させることが可能となっている。また、本実施形態の固定穴２３の直径φは、木ネジが固定されたとき、固定穴２３内に位置する木ネジの径より小さいことを特徴としている。このような関係とすることで、木ネジを固定穴２３に固定した際、固定穴２３の周辺に、上部取付板１１（あるいは下部取付板１２）側に食い込むバリ（本発明における「変形部」）を形成させ、遊技機外枠４の固定強度向上が図られることになる。なお、固定穴２３の周辺に形成される変形部は、鋭利な部分を有するバリのみならず、固定穴２３が上部取付板１２（あるいは下部取付板１２）に向かって変形しているだけであってもよい。
【００２９】
折り曲げ部２２は、取付用金具２を形成するステンレス製鉄板の一部を折り曲げて形成された部分であって、本実施形態では高さＨ（１０ｍｍ）の大きさを有している。このような折り曲げ部２２を設けることで、取付用金具２の曲げ強度を向上させるとともに、取付用金具２の水平性（平面性）を確保している。また、取付用金具２の設置対象となる上部取付板１１（あるいは下部取付板１２）に対する位置決め、もしくは、取付用金具２に対して固定される遊技機外枠４に対する位置決めに使用することを可能としている。
【００３０】
図１に示すように、本実施形態では、取付用金具２ａについては、その折り曲げ部２２を上方向、すなわち、上部取付板１１側に位置させている。また、取付用金具２ｂについては、その折り曲げ部２２を上方向、すなわち、設置空間側に位置させている。したがって、設置空間内に遊技機外枠４を固定する際、取付用金具２ｂの折り曲げ部２２を使用して遊技機外枠４の位置決めが行われる。また、上部取付板１１側では、取付用金具２ａの折り曲げ部２２が設置空間側に突出していないため、遊技機外枠４の上部では自由に位置決めを行うことが可能となり、遊技機外枠４が向く方向を調整した上で固定することが可能となっている。また、取付用金具２ａは、その折り曲げ部２２が上部取付板１１に対する位置決め精度の向上、並びに、固定強度の向上が図られている。なお、取付用金具２ａ、２ｂの折り曲げ部２２の向く方向は、このような実施形態のみならず、各種形態を採用することが可能である。
【００３１】
図３は、本実施形態の遊技機島１を示す正面斜視図（取付用金具２ａ、２ｂ設置後）である。下部取付板１２には、平木ネジ３１を使用して取付用金具２ｂが設置されている。また、斜視図の関係上、隠されているが、上部取付板１１には、平木ネジ３１を使用して取付用金具２ａが設置されている。本実施形態では、ねじ山が平らな平木ネジ３１を使用しているため、取付用金具２ａ、２ｂからのねじ山部分の突出を抑制し、遊技機外枠４の固定を阻害しないようにしている。
【００３２】
図４は、本実施形態の遊技機島１を示す正面斜視図（遊技機外枠４の設置前）である。本実施形態では、遊技機島１において、上部取付板１１、下部取付板１２、右側方板１３Ｒ、左側方板１３Ｌで形成された設置空間内に、遊技機外枠４（本発明の「遊技機側構成」に相当）を使用して遊技機が取り付けられる。なお、遊技機島１に取り付けられる遊技機側構成としては、遊技機外枠４に限られるものではなく、取付対象となる遊技機の適宜構成とすることが可能である。本実施形態の遊技機外枠４は、木製の外枠上板４１、外枠下板４２、外枠右板４３Ｒ、外枠左板４３Ｌを有して構成されている。また、外枠左板４３Ｌには、遊技機を固定するための蝶番４４ａ、４４ｂが設けられている。遊技機の取付は、まず、遊技機外枠４を設置空間内に位置させて、外枠上板４１、外枠下板４２のそれぞれを、木ネジ４５で２箇所固定する。そして、設置空間内に固定された遊技機外枠の蝶番４４ａ、４４ｂに遊技機（図示せず）が取り付けられる。なお、遊技機側構成としての遊技機外枠４は、木製のみならず、金属製であってもよい。その場合、遊技機外枠４には木ネジ４５を貫通させるための下穴が予め形成されていることが好ましい。
【００３３】
図５（Ａ）は、本実施形態の遊技機島１を示す正面斜視図であり、図５（Ｂ）は、遊技機島１を背後から見たときの背面斜視図（どちらも遊技機外枠４設置後）である。遊技機外枠４は、遊技機島１の設置空間内に、２箇所の木ネジ４５で固定されている。ここで、設置空間の下側については、木ネジ４５は、外枠下板４２、取付用金具２ｂ、下部取付板１２の順に貫通し、遊技機外枠４を遊技機島１の上方を設置空間に固定する。また、設置空間の上側については、木ネジ４５は、外枠上板４１、取付用金具２ａ、上部取付板１１の順に貫通し、遊技機外枠４の下方を遊技機島１の設置空間に固定する。
【００３４】
図６は、取付用金具２ｂの設置部分周辺を示す拡大図であり、図７は、取付用金具２ｂの設置部分周辺を示す断面図である。図６、図７に示されるように、遊技機外枠４側の外枠下板４２は、下部取付板１２との間に取付用金具２ｂを介在した状態で木ネジ４５によって固定されている。特に、図７に示されるように、木ネジ４５は、取付用金具２ｂの固定穴形成領域２１ａを貫く位置に固定されている。
【００３５】
図８（Ａ）は、木ネジ４５の固定前の取付用金具２ｂの設置部分周辺を示す断面図であり、図８（Ｂ）は、木ネジ４５の固定後の取付用金具２ｂの設置部分周辺を示す断面図である。下部取付板１２の上には取付用金具２ｂが設けられている。取付用金具２ｂ中、固定穴形成領域２１ａには、複数個の固定穴２３が形成されている。取付用金具２ｂ上で、外枠下板４２の位置決めを行い、ドライバーなどの工具を使用して木ネジ４５が固定される。なお、木ネジ４５を固定する際、外枠下板４２には下穴を設けておくこととしてもよい。その際、下穴は取付用金具２ｂを貫通させない、あるいは、傷付けないようにすることが好ましい。
【００３６】
本実施形態では、固定穴２３の直径φを２ｍｍ、木ネジ４５において、固定したとき固定穴に位置する部分（以下、「係止部分」と称する）の大きさｄを３．５ｍｍとしている。このように、木ネジ４５の係止部分ｄの大きさを、固定穴２３の大きさ（この場合、直径φ）よりも大きく設定することで、木ネジ４５が、固定穴２３を貫通した際、固定穴２３の周辺にバリ２３ａ（本発明における「変形部」）が形成される。形成されたバリ２３ａは、下部取付板１２に食い込むことで、外枠下板４２の取付強度を向上させることになる。また、店舗において遊技機の入れ替えが行われた際には、一旦、木ネジ４５が取り外されることになるが、木ネジ４５が取り外されても、固定されていた木ネジ４５が形成するネジ穴の周辺は、取付用金具２ｂでしっかりと押さえられているため、多数回にわたる遊技機の入れ替えにおいても、図１２で説明したように、複数のネジ穴の間において、下部取付板１２の欠損が生じることを抑制することが可能となる。特に、ネジ穴周辺は、取付用金具２ｂのバリ２３ａで押さえられているため、欠損は生じにくい状態となっている。
【００３７】
ここで、木ネジ４５の係止部分の大きさｄと、固定穴２３の大きさφ（固定穴２３の形状が円形の場合、直径）の好適な関係について示しておく。出願人は、複数回の試行の結果、木ネジ４５の係止部分の大きさｄは、固定穴２３の大きさの１３０％〜２００％の範囲であることが好ましいことを見いだした。固定穴２３が係止部分よりも小さすぎると、木ネジ４５が固定穴２３を貫通しない現象が発生する。一方、固定穴２３が係止部分よりも大きすぎると、固定強化に繋がる大きさのバリ２３ａを形成できないことになる。このように、木ネジ４５の係止部分の大きさｄと、固定穴２３の大きさφを好適な範囲とすることで、木ネジ４５の固定を容易にするとともに、適切な大きさのバリ２３ａ形成による固定強度の向上を図ることが可能となる。
【００３８】
また、取付用金具２を複数回使用した場合、固定穴２３を連結させないことが、固定強度向上の点において好ましい。したがって、取付用金具２に配置される複数の固定穴２３は、固定穴２３の中心に木ネジ４５の係止部分の大きさｄを直径とする仮想円を想定した場合、仮想円が重ならないように配置されている配置パターンを取ることが好ましい。このような構成によれば、複数回にわたる取付用金具２の使用において、隣接する固定穴２３が使用された場合においても、固定穴２３を連結させること無く、固定強度を保つことが可能となる。さらに好ましくは、木ネジ４５の係止部分の大きさｄは、仮想円の最大直径の８０％以下とすることが好ましい。固定穴２３の連結発生をさらに抑制することが可能となる。
【００３９】
図２で説明した固定穴２３の配置パターンでは、固定穴２３の大きさφ（２ｍｍ）、ある固定穴２３の周囲に位置する何れの固定穴２３とのピッチＰ（４ｍｍ）となっている。したがって、仮想円の最大直径は６ｍｍとなる。また、使用される木ネジ４５の係止部分の大きさｄ（３．５ｍｍ）である。よって、木ネジ４５の係止部分の大きさｄは、仮想円の最大直径の５８％となっており、好適な範囲に収まっていることが分かる。したがって、複数回にわたる使用においても隣り合う固定穴２３が連結させることがなく、固定強度を担保することが可能となっている。
【００４０】
また、本実施形態では、図２で説明したように、固定穴２３の配置パターンを千鳥配置とすることで、固定穴２３を密に配置し、木ネジ４５が固定されるときに、木ネジ４５の先端が固定穴２３に入ることを容易にしている。その際、木ネジ４５が固定穴２３の中心からずれた位置に入った場合であっても、木ネジ４５が僅かに傾くことで、固定穴２３内に木ネジ４５を保持することが可能である。なお、固定穴形成領域２１ａにおける固定穴２３の開口率、すなわち、固定穴形成領域２１ａ面積に対する固定穴２３の面積は、１５〜５０％とすることが好ましい。開口率が低すぎると、固定穴２３を密な状態とすることができず、木ネジ４５を固定穴２３内に誘導することが困難となる。一方、開口率が高すぎると、取付用金具２自体の強度を保つことが困難となる。
【００４１】
以上、図１〜図８を用いて１の実施形態を説明したが、本実施形態では、固定穴２３が形成された取付用金具２ｂを使用することで、遊技機島１の設置空間内に固定される遊技機外枠４の固定強度向上を図ることが可能となる。また、固定具としての木ネジ４５が形成するネジ穴による下部取付板１２の欠損を抑制し、下部取付板１２の使用回数を増加させ、遊技機島１のメンテナンス良好化を図ることも可能となる。なお、遊技機外枠４の下方の固定を中心に説明したが、上部取付板１１に取付用金具２ａを使用して外枠上板４１を固定する遊技機外枠４の上方の固定についても同様である。
【００４２】
また、本実施形態では、固定具として木ネジ４５を使用しているが、固定具は木ネジ４５のみならず、釘を使用することとしてもよい。固定具として釘を使用する場合においても、釘の係止部分の大きさｄは、固定穴の大きさφよりも大きい（好適には、係止部分の大きさｄが、固定穴の大きさの１３０％〜２００％の範囲）ことが必要となる。
【００４３】
図９は、取付用金具２に設けられる固定穴２３の形状、配置パターンの各種バリエーションが示されている。前述した実施形態では、固定穴２３の形状は円形、配置パターンを千鳥配置としているが、このような形態に限られるものではなく、各種形態を採用することが可能である。
【００４４】
図９（Ａ）は、固定穴２３の形状を四角形、配置パターンを千鳥配置とした形態である。このような固定穴２３の形状では、円形の場合と比較して大きく、鋭利なバリが形成されるため、固定強度の更なる向上を図ることが期待できる。
【００４５】
図９（Ｂ）は、固定穴２３の形状を花弁型、配置パターンを千鳥配置とした形態である。このような固定穴２３の形状では、固定穴２３の内側を向く４箇所の尖鋭部分がバリとなって有効に作用し、固定強度の向上を図ることが可能となる。また、バリとなる部分が固定穴２３の周囲、４箇所に均等に配置されることで、固定強度の向上を図ることも期待できる。なお、花弁型のみならず、星形など、固定穴２３の内側を向いた尖鋭部分を有する形態であれば、各種形状を採用することが可能である。
【００４６】
図９（Ｃ）は、固定穴２３の形状を円形、配置パターンを格子配置とした形態である。また、図９（Ｄ）は、固定穴２３の形状を円形、配置パターンを格子配置とした形態である。このように配置パターンは、千鳥配置のみならず格子配置を使用することとしてもよい。あるいは、配置パターンをランダムとしてもよい。
【００４７】
なお、円形以外の固定穴２３の形状を使用する場合において、木ネジ４５の係止部分の大きさが、固定穴２３よりも大きいとは、少なくとも固定穴２３が、木ネジ４５の係止部分の大きさｄよりも幅狭な部分を有することをいう。幅狭な部分を有することで、バリ（本発明の「変形部」）を形成し、固定強度向上を図ることが可能となる。その際、有効な大きさのバリを形成するためには、木ネジ４５の係止部分の大きさｄが、固定穴２３の大きさである幅狭な部分の大きさの１３０％以上であることが好ましい。また、木ネジ４５が固定穴４５を貫通させるには、木ネジ４５の係止部分の大きさｄが、固定穴２３の幅狭な部分の大きさに対して２００％以下であることが好ましい。
【００４８】
また、他の配置パターンにおいても、取付用金具２を複数回使用した場合、固定穴２３を連結させないためには、取付用金具２に配置される複数の固定穴２３は、固定穴２３の中心に木ネジ４５の係止部分の大きさｄを直径とする仮想円を想定した場合、仮想円が重ならないように配置されている配置パターンを取ることが好ましい。
【００４９】
図１０は、他の実施形態の遊技機島１を示す正面斜視図（取付用金具５ａ〜５ｄの設置前）である。前述の実施形態では、上部取付板１１、下部取付板１２のそれぞれに、１の取付用金具２ａ、２ｂを設けることとしていた。本実施形態では、前述の実施形態の取付用金具２ａ、２ｂよりも小版の取付用金具５ａ〜５ｄを使用している。また、上部取付板１１、下部取付板１２のそれぞれに、複数の取付用金具５ａ、５ｂを設けることとしている。
【００５０】
図１１は、図１０に示す他の実施形態で使用する取付用金具５を示す三面図である。なお、どの取付用金具５ａ〜５ｂも同じ部品であるため、ここでは、符号中のアルファベットａ〜ｄは省略している。本実施形態の取付用金具５は、前述の実施形態と同様の構成を有するものであって、固定部５１、折り曲げ部５２を有している。そして、固定部５１には、固定穴５３が形成された固定穴形成領域５１ａを有している。ただし、前述の実施形態とは、長さＬ（１００ｍｍ）の点においてのみ異なっている。このように小版の取付用金具５を、遊技機外枠４を固定する部分にのみ配置すればよく、取付用金具５の専有面積を削減し、その結果、取付用金具５に使用する材料費を抑えることでコスト削減を図ることが可能となる。
【００５１】
また、本実施形態では、上部取付板１１に配置する取付用金具５ａ、５ｂは、折り曲げ部５２を上向き（上部取付板１１の方向）としている。その際、折り曲げ部５２を上部取付板１１の縁に沿わせることで、取付用金具５ａ、５ｂの位置決め、並びに、配置後の位置ずれ抑制を図っている。一方、下部取付板１２に配置する取付用金具５ｃ、５ｄは、折り曲げ部５２を上向き（遊技機外枠の設置空間に向く方向）としている。その際、折り曲げ部５２を側方向き（取付用金具５ｃは左側方向き、取付用金具５ｄは右側方向き）としている。このような構成により、遊技機外枠４を固定する際、取付用金具５ｃ、５ｄが左右方向の位置決め部材として機能し、遊技機外枠４を適切な位置に固定することを可能としている。なお、小版の取付用金具５ａ、５ｂについても、その設置個数、取り付ける向きは、上部取付板１１、下部取付板１２に対する取付用金具５の位置決め、あるいは、遊技機外枠４に対する取付用金具５の位置決めを考慮して、適宜形態を採用することが可能である。
【００５２】
以上、本発明の各種実施形態について、遊技機島１を例に取って説明したが、本発明は遊技機島のみならず、上述した各種実施形態における取付用金具２を使用する遊技機の取付方法、あるいは、取付用金具２と木ネジ４５の組で構成された遊技機取付具もその範疇に属するものである。
【符号の説明】
【００５３】
１：遊技機島                            ２３：固定穴
２（２ａ、２ｂ）：取付用金具            ２３ａ：バリ
４：遊技機外枠                          ３１：平木ネジ
５（５ａ〜５ｄ）：取付用金具            ４１：外枠上板
１１：上部取付板                        ４２：外枠下板
１２：下部取付板                        ４３Ｌ：外枠左板
１３Ｌ：左側方板                        ４３Ｒ：外枠右板
１３Ｒ：右側方板                        ４４ａ：蝶番
１４：上部前面板                        ４４ｂ：蝶番
１５：下部前面板                        ４５：木ネジ
２１：固定部                            ５１：固定部
２１ａ：固定穴形成領域                  ５１ａ：固定穴形成領域
２１ｂ：固定穴非形成領域                ５２：折り曲げ部
２２：折り曲げ部                        ５３：固定穴
【図１】
2018187175.tif 000003
【図２】
2018187175.tif 000004
【図３】
2018187175.tif 000005
【図４】
2018187175.tif 000006
【図５】
2018187175.tif 000007
【図６】
2018187175.tif 000008
【図７】
2018187175.tif 000009
【図８】
2018187175.tif 000010
【図９】
2018187175.tif 000011
【図１０】
2018187175.tif 000012
【図１１】
2018187175.tif 000013
【図１２】
2018187175.tif 000014